(57)【要約】  本出願は、充電装置のテストシステム及び方法を提供し、充電装置のテストシステムは、負荷モジュールと、テストボードと、充電装置と、を含み、前記充電装置は、前記テストボードによって前記負荷モジュールと経路を形成し、前記テストボードは、前記充電装置にテストのバッテリ電圧を報告し、前記充電装置は、前記テストのバッテリ電圧を受信し、前記テストのバッテリ電圧に基づいて前記充電装置から前記負荷モジュールへの経路インピーダンスを算出し、算出された経路インピーダンスに基づいて前記充電装置の作動状態を調整し、前記充電装置が保護状態に入っているか否かを確認して、前記充電装置の経路インピーダンスの保護機能をテストし、前記テストのバッテリ電圧に基づいて算出された経路インピーダンスと基準インピーダンスとの間の差は、予め設定されたインピーダンスより大きい。これによって、充電装置の経路インピーダンスの保護機能が有効であるか否かを効果的にテストすることができ、且つ操作が簡単で、精度が高い。
2021502041.tif 000002
【特許請求の範囲】
【請求項１】
充電装置のテストシステムであって、
負荷モジュールと、テストボードと、充電装置と、を含み、前記充電装置は、前記テストボードによって前記負荷モジュールと経路を形成し、
前記テストボードは、前記充電装置にテストのバッテリ電圧を報告し、
前記充電装置は、前記テストのバッテリ電圧を受信し、前記テストのバッテリ電圧に基づいて前記充電装置から前記負荷モジュールへの経路インピーダンスを算出し、算出された経路インピーダンスに基づいて前記充電装置の作動状態を調整し、前記充電装置が保護状態に入っているか否かを確認して、前記充電装置の経路インピーダンスの保護機能をテストし、
前記テストのバッテリ電圧に基づいて算出された経路インピーダンスと基準インピーダンスとの間の差は、予め設定されたインピーダンスより大きい、
ことを特徴とする充電装置のテストシステム。
【請求項２】
前記充電装置は、前記充電装置の充電電圧と、前記テストボードによって報告されたテストのバッテリ電圧と、前記充電装置の充電電流とに基づいて、前記充電装置から前記負荷モジュールへの経路インピーダンスを算出し、
前記経路インピーダンスの保護機能が正常であり、且つ算出された経路インピーダンスと基準インピーダンスとの間の差が予め設定されたインピーダンスより大きい場合、前記充電装置は保護状態に入る、
ことを特徴とする請求項１に記載の充電装置のテストシステム。
【請求項３】
前記充電装置は、以下の式に従って前記充電装置から前記負荷モジュールへの経路インピーダンスを算出し、
Ｒ＝（ＶＢＵＳ−ＶＢＡＴ）／Ｉ
ただし、Ｒは前記充電装置から前記負荷モジュールへの経路インピーダンスであり、ＶＢＵＳは前記充電装置の充電電圧であり、ＶＢＡＴは前記テストボードによって報告されたテストのバッテリ電圧であり、Ｉは前記充電装置の充電電流である、
ことを特徴とする請求項２に記載の充電装置のテストシステム。
【請求項４】
前記テストボードは、前記テストボードの電圧をサンプリングし、前記テストボードの電圧と、アナログインピーダンスの増加値と、前記充電装置の充電電流とに基づいて、前記テストのバッテリ電圧を算出する、
ことを特徴とする請求項１〜３のいずれかに記載の充電装置のテストシステム。
【請求項５】
前記テストボードは、以下の式に従って前記テストのバッテリ電圧を算出し、
ＶＢＡＴ＝Ｖ−ＡＤＣ−△Ｒ＊Ｉ
ただし、ＶＢＡＴは前記テストのバッテリ電圧であり、Ｖ−ＡＤＣは前記テストボードの電圧であり、△Ｒはアナログインピーダンスの増加値であり、Ｉは前記充電装置の充電電流である、
ことを特徴とする請求項４に記載の充電装置のテストシステム。
【請求項６】
前記アナログインピーダンスの増加値は、前記予め設定されたインピーダンス以上である、
ことを特徴とする請求項４に記載の充電装置のテストシステム。
【請求項７】
前記負荷モジュールが定電圧負荷であることによって、前記充電装置の充電電流が定電流状態になる、
ことを特徴とする請求項１に記載の充電装置のテストシステム。
【請求項８】
前記充電装置は、正の電源線と負の電源線とを含む電源線を有し、前記テストボードは、第１の電源線と第２の電源線とを有し、
前記テストボードの第１の電源線の一端は、前記負荷モジュールの正極に接続され、前記テストボードの第１の電源線の他端は、前記充電装置の正の電源線に接続され、
前記テストボードの第２の電源線の一端は、前記負荷モジュールの負極に接続され、前記テストボードの第２の電源線の他端は、前記充電装置の負の電源線に接続される、
ことを特徴とする請求項１に記載の充電装置のテストシステム。
【請求項９】
前記テストボードは、前記第１の電源線又は前記第２の電源線に直列に接続されるスイッチングトランジスタと、前記スイッチングトランジスタの制御極に接続され、スイッチングトランジスタのオン又はオフを制御することによって前記充電装置から前記負荷モジュールへの経路のオン又はオフを制御する制御モジュールと、をさらに含む、
ことを特徴とする請求項８に記載の充電装置のテストシステム。
【請求項１０】
前記充電装置は、通信線をさらに有し、
前記充電装置は、前記通信線を介して前記テストボードと通信して、前記テストのバッテリ電圧を受信する、
ことを特徴とする請求項８に記載の充電装置のテストシステム。
【請求項１１】
前記電源線は、前記通信線と同じデータ線内に設けられる、
ことを特徴とする請求項１０に記載の充電装置のテストシステム。
【請求項１２】
前記データ線はＵＳＢ線である、
ことを特徴とする請求項１１に記載の充電装置のテストシステム。
【請求項１３】
充電装置のテスト方法であって、
前記充電装置は、テストボードによって負荷モジュールと経路を形成し、
前記方法は、
前記テストボードによって報告されたテストのバッテリ電圧を受信するステップと、
前記テストのバッテリ電圧に基づいて前記充電装置から前記負荷モジュールへの経路インピーダンスを算出し、算出された経路インピーダンスに基づいて前記充電装置の作動状態を調整するステップであって、前記テストのバッテリ電圧に基づいて算出された経路インピーダンスと基準インピーダンスとの間の差は、予め設定されたインピーダンスより大きいステップと、
前記充電装置が保護状態に入っているか否かを確認して、前記充電装置の経路インピーダンスの保護機能をテストするステップと、を含む、
ことを特徴とする充電装置のテスト方法。
【請求項１４】
前記テストのバッテリ電圧に基づいて前記充電装置から前記負荷モジュールへの経路インピーダンスを算出するステップは、
前記充電装置の充電電圧と、前記テストボードによって報告されたテストのバッテリ電圧と、前記充電装置の充電電流とに基づいて前記充電装置から前記負荷モジュールへの経路インピーダンスを算出するステップを含み、
前記経路インピーダンスの保護機能が正常であり、且つ算出された経路インピーダンスと基準インピーダンスとの間の差が予め設定されたインピーダンスより大きい場合、前記充電装置は保護状態に入る、
ことを特徴とする請求項１３に記載の充電装置のテスト方法。
【請求項１５】
以下の式に従って前記充電装置から前記負荷モジュールへの経路インピーダンスを算出し、
Ｒ＝（ＶＢＵＳ−ＶＢＡＴ）／Ｉ
ただし、Ｒは前記充電装置から前記負荷モジュールへの経路インピーダンスであり、ＶＢＵＳは前記充電装置の充電電圧であり、ＶＢＡＴは前記テストボードによって報告されたテストのバッテリ電圧であり、Ｉは前記充電装置の充電電流である、
ことを特徴とする請求項１４に記載の充電装置のテスト方法。
【請求項１６】
前記テストのバッテリ電圧は、前記テストボードが、前記テストボードの電圧と、アナログインピーダンスの増加値と、前記充電装置の充電電流とに基づいて算出されるものである、
ことを特徴とする請求項１３〜１５のいずれかに記載の充電装置のテスト方法。
【請求項１７】
前記テストボードは、以下の式に従って前記テストのバッテリ電圧を算出し、
ＶＢＡＴ＝Ｖ−ＡＤＣ−△Ｒ＊Ｉ
ただし、ＶＢＡＴは前記テストのバッテリ電圧であり、Ｖ−ＡＤＣは前記テストボードの電圧であり、△Ｒはアナログインピーダンスの増加値であり、Ｉは前記充電装置の充電電流である、
ことを特徴とする請求項１６に記載の充電装置のテスト方法。
【請求項１８】
前記アナログインピーダンスの増加値は、前記予め設定されたインピーダンス以上である、
ことを特徴とする請求項１６に記載の充電装置のテスト方法。
【請求項１９】
前記負荷モジュールが定電圧負荷であることによって、前記充電装置の充電電流が定電流状態になる、
ことを特徴とする請求項１４に記載の充電装置のテスト方法。
【発明の詳細な説明】
【技術分野】
【０００１】
本出願は、充電技術の分野に関し、特に、充電装置のテストシステム及び充電装置のテスト方法に関する。
【背景技術】
【０００２】
関連技術では、アダプタなどの充電装置を電子機器と結合してテストし、具体的には、アダプタと電子機器との間の経路に抵抗器を直列に接続してから、アダプタに経路インピーダンスの保護機能があるか否かを確認する。しかし、関連技術では、手動で経路に抵抗器を直列に接続するため、誤差が大きく、操作が不便である問題が存在する。
【発明の概要】
【発明が解決しようとする課題】
【０００３】
本出願は、充電装置のテストシステム及び方法を提供し、充電装置の経路インピーダンスの保護機能が有効であるか否かを効果的にテストすることができ、且つ操作が簡単で、精度が高い。
【課題を解決するための手段】
【０００４】
本出願第１の方面実施例により提供される充電装置のテストシステムは、負荷モジュールと、テストボードと、充電装置と、を含み、前記充電装置は、前記テストボードによって前記負荷モジュールと経路を形成し、前記テストボードは、前記充電装置にテストのバッテリ電圧を報告し、前記充電装置は、前記テストのバッテリ電圧を受信し、前記テストのバッテリ電圧に基づいて前記充電装置から前記負荷モジュールへの経路インピーダンスを算出し、算出された経路インピーダンスに基づいて前記充電装置の作動状態を調整し、前記充電装置が保護状態に入っているか否かを確認して、前記充電装置の経路インピーダンスの保護機能をテストし、前記テストのバッテリ電圧に基づいて算出された経路インピーダンスと基準インピーダンスとの間の差は、予め設定されたインピーダンスより大きい。
【０００５】
本出願の実施例により提供される充電装置のテストシステムによれば、充電装置は、テストボードによって負荷モジュールと経路を形成し、テストボード充電装置にテストのバッテリ電圧を報告し、充電装置はテストのバッテリ電圧に基づいて充電装置から負荷モジュールへの経路インピーダンスを算出し、算出された経路インピーダンスに基づいて充電装置の作動状態を調整し、充電装置が保護状態に入っているか否かを確認して、充電装置の経路インピーダンスの保護機能をテストし、且つテストのバッテリ電圧に基づいて算出された経路インピーダンスと基準インピーダンスとの間の差は、予め設定されたインピーダンスより大きい。これによって、充電装置の経路インピーダンスの保護機能が有効であるか否かを効果的にテストすることができ、且つ操作が簡単で、精度が高いので、充電装置の安全性及び安定性を確保し、経路インピーダンスの保護機能の問題によって充電装置にアフターセールスの問題が発生することを回避し、充電装置の品質を確保する。
【０００６】
本出願の一実施例によれば、前記充電装置は、前記充電装置の充電電圧と、前記テストボードによって報告されたテストのバッテリ電圧と、前記充電装置の充電電流とに基づいて前記充電装置から前記負荷モジュールへの経路インピーダンスを算出し、前記経路インピーダンスの保護機能が正常であり、且つ算出された経路インピーダンスと基準インピーダンスとの間の差が予め設定されたインピーダンスより大きい場合、前記充電装置は保護状態に入る。
【０００７】
本出願の一実施例によれば、前記充電装置は、以下の式に従って前記充電装置から前記負荷モジュールへの経路インピーダンスを算出し、
Ｒ＝（ＶＢＵＳ−ＶＢＡＴ）／Ｉ
ただし、Ｒは前記充電装置から前記負荷モジュールへの経路インピーダンスであり、ＶＢＵＳは前記充電装置の充電電圧であり、ＶＢＡＴは前記テストボードによって報告されたテストのバッテリ電圧であり、Ｉは前記充電装置の充電電流である。
【０００８】
本出願の一実施例によれば、前記テストボードは、前記テストボードの電圧をサンプリングし、前記テストボードの電圧と、アナログインピーダンスの増加値と、前記充電装置の充電電流とに基づいて前記テストのバッテリ電圧を算出する。
【０００９】
本出願の一実施例によれば、前記テストボードは、以下の式に従って前記テストのバッテリ電圧を算出し、
ＶＢＡＴ＝Ｖ−ＡＤＣ−△Ｒ＊Ｉ
ただし、ＶＢＡＴは前記テストのバッテリ電圧であり、Ｖ−ＡＤＣは前記テストボードの電圧であり、△Ｒはアナログインピーダンスの増加値であり、Ｉは前記充電装置の充電電流である。
【００１０】
本出願の一実施例によれば、前記アナログインピーダンスの増加値は、前記予め設定されたインピーダンス以上である。
【００１１】
本出願の一実施例によれば、前記負荷モジュールが定電圧負荷であることによって、前記充電装置の充電電流が定電流状態になる。
【００１２】
本出願の一実施例によれば、前記充電装置は、正の電源線と負の電源線とを含む電源線を有し、前記テストボードは、第１の電源線と第２の電源線とを有し、前記テストボードの第１の電源線の一端は、前記負荷モジュールの正極に接続され、前記テストボードの第１の電源線の他端は、前記充電装置の正の電源線に接続され、前記テストボードの第２の電源線の一端は、前記負荷モジュールの負極に接続され、前記テストボードの第２の電源線の他端は、前記充電装置の負の電源線に接続される。
【００１３】
本出願の一実施例によれば、前記テストボードは、前記第１の電源線又は前記第２の電源線に直列に接続されるスイッチングトランジスタと、前記スイッチングトランジスタの制御極に接続され、スイッチングトランジスタのオン又はオフを制御することによって前記充電装置から前記負荷モジュールへの経路のオン又はオフを制御する制御モジュールと、をさらに含む。
【００１４】
本出願の一実施例によれば、前記充電装置は、通信線をさらに有し、前記充電装置は、前記通信線を介して前記テストボードと通信して、前記テストのバッテリ電圧を受信する。
【００１５】
本出願の一実施例によれば、前記電源線は、前記通信線と同じデータ線内に設けられる。
【００１６】
本出願の一実施例によれば、前記データ線はＵＳＢ線である。
【００１７】
上記の目的を達成するために、本出願の第２の側面の実施例により提供される充電装置のテスト方法は、前記充電装置は、テストボードによって負荷モジュールと経路を形成し、前記方法は、
前記テストボードによって報告されたテストのバッテリ電圧を受信するステップと、前記テストのバッテリ電圧に基づいて前記充電装置から前記負荷モジュールへの経路インピーダンスを算出し、算出された経路インピーダンスに基づいて前記充電装置の作動状態を調整するステップであって、前記テストのバッテリ電圧に基づいて算出された経路インピーダンスと基準インピーダンスとの間の差は、予め設定されたインピーダンスより大きいステップと、前記充電装置が保護状態に入っているか否かを確認して、前記充電装置の経路インピーダンスの保護機能をテストするステップと、を含む。
【００１８】
本出願の実施例により提供される充電装置のテスト方法によれば、充電装置は、テストボードによって負荷モジュールと経路を形成し、テストボードによって報告されたテストのバッテリ電圧を取得し、テストのバッテリ電圧に基づいて充電装置から負荷モジュールへの経路インピーダンスを算出し、算出された経路インピーダンスに基づいて充電装置の作動状態を調整し、充電装置が保護状態に入っているか否かを確認して、充電装置の経路インピーダンスの保護機能をテストし、且つテストのバッテリ電圧に基づいて算出された経路インピーダンスと基準インピーダンスとの間の差は、予め設定されたインピーダンスより大きい、これによって、充電装置の経路インピーダンスの保護機能が有効であるか否かを効果的にテストすることができ、且つ操作が簡単で、精度が高いので、充電装置の安全性及び安定性を確保し、経路インピーダンスの保護機能の問題によって充電装置にアフターセールスの問題が発生することを回避し、充電装置の品質を確保する。
【００１９】
本出願の一実施例によれば、前記テストのバッテリ電圧に基づいて前記充電装置から前記負荷モジュールへの経路インピーダンスを算出するステップは、前記充電装置の充電電圧と、前記テストボードによって報告されたテストのバッテリ電圧と、前記充電装置の充電電流とに基づいて前記充電装置から前記負荷モジュールへの経路インピーダンスを算出するステップを含み、前記経路インピーダンスの保護機能が正常であり、且つ算出された経路インピーダンスと基準インピーダンスとの間の差が予め設定されたインピーダンスより大きい場合、前記充電装置は保護状態に入る。
【００２０】
本出願の一実施例によれば、以下の式に従って前記充電装置から前記負荷モジュールへの経路インピーダンスを算出し、
Ｒ＝（ＶＢＵＳ−ＶＢＡＴ）／Ｉ
ただし、Ｒは前記充電装置から前記負荷モジュールへの経路インピーダンスであり、ＶＢＵＳは前記充電装置の充電電圧であり、ＶＢＡＴは前記テストボードによって報告されたテストのバッテリ電圧であり、Ｉは前記充電装置の充電電流である。
【００２１】
本出願の一実施例によれば、前記テストのバッテリ電圧は、前記テストボードによって、前記テストボードの電圧と、アナログインピーダンスの増加値と、前記充電装置の充電電流に基づいて算出される。
【００２２】
本出願の一実施例によれば、前記テストボードは、以下の式に従って前記テストのバッテリ電圧を算出し、
ＶＢＡＴ＝Ｖ−ＡＤＣ−△Ｒ＊Ｉ
ただし、ＶＢＡＴは前記テストのバッテリ電圧であり、Ｖ−ＡＤＣは前記テストボードの電圧であり、△Ｒはアナログインピーダンスの増加値であり、Ｉは前記充電装置の充電電流である。
【００２３】
本出願の一実施例によれば、前記アナログインピーダンスの増加値は、前記予め設定されたインピーダンス以上である。
【００２４】
本出願の一実施例によれば、前記負荷モジュールが定電圧負荷であることによって、前記充電装置の充電電流が定電流状態になる。
【００２５】
本出願の付加的な特徴及び利点は、一部が以下の説明において示され、一部が以下の説明により明らかになり、又は本出願の実践により理解される。
【図面の簡単な説明】
【００２６】
本出願の上記及び/又は付加的な特徴及び利点は、図面を参照して実施例に対する以下の説明により、明らかになり、理解されやすくなる。
【図１】本出願の実施例の充電装置のテストシステムのブロック概略図である。
【図２】本出願の一実施例の充電装置のテストシステムのブロック概略図である。
【図３】本出願の別の実施例の充電装置のテストシステムのブロック概略図である。
【図４】本出願のもう一つの実施例の充電装置のテストシステムのブロック概略図である。
【図５】本出願の実施例の充電装置のテスト方法の概略フローチャートである。
【発明を実施するための形態】
【００２７】
以下、本出願の実施例を詳細に説明する。前記実施例における例が図面に示され、同一又は類似する符号は、常に同一又は類似する素子、或いは、同一又は類似する機能を有する素子を示す。以下に、図面を参照しながら説明される実施例は例示的なものであり、本出願を解釈するためだけに用いられ、本出願を限定するものと理解してはいけない。
【００２８】
以下、図面を参照して本出願の実施例の充電装置のテストシステム及び方法を説明し、当該充電装置のテストシステム及び方法は、充電装置の経路インピーダンスの保護機能をテストする。
【００２９】
本出願の実施例では、充電装置は、電子機器に充電するために使用される。電子機器は、端末を指すことができ、当該「端末」は、スマートフォン、コンピュータ、パーソナルデジタルアシスタント（ｐｅｒＳｏｎａｌ  ｄｉｇｉｔａｌ  ａＳＳｉＳｔａｎｔ、ＰＤＡ）、ウェアラブルデバイス、ブルートゥースヘッドセット、ゲーム機器、撮像デバイスなどを含むことができるが、これらに限定されない。充電装置は、アダプタ、モバイル電源（モバイルバッテリ）、車載充電器などの端末に充電する機能を有する機器であってもよい。アダプタを例として、充電装置は、ＶＯＯＣアダプタであってもよく、ＶＯＯＣアダプタの充電回路は、充電インターフェースを介して電子機器のバッテリに直接に接続することができる。
【００３０】
充電装置が電子機器を充電する中に、充電の安全性を確保するために、充電装置に経路インピーダンスの保護機能を設置し、すなわち、充電装置と電子機器のバッテリとの間の経路インピーダンスを検出する。例えば、充電装置とバッテリとの間の経路インピーダンスは、電子機器の経路インピーダンス、及び充電装置と電子機器との間の充電線路の経路インピーダンスを含むことができることを理解されたい。これにより、実際の使用中では、充電装置は、充電装置とバッテリとの間の経路インピーダンスを取得し、充電装置とバッテリとの間の経路インピーダンスが大きすぎる場合、経路インピーダンスに異常が発生したと見なされ、充電装置は保護状態に入る。
【００３１】
このために、本出願の実施例の充電装置のテストシステムは、充電装置のテスト中に上記経路インピーダンスの異常をシミュレーションして、充電装置が保護状態に入るか否かを確認する。例えば、負荷モジュール、テストボード、及び充電装置が、順次直列に接続されて経路を形成し、テストボードによって電子機器の状態をシミュレーションし、充電装置とリアルタイムに通信し、テストボードは、経路インピーダンスが大きすぎる故障（具体的な故障製造方式は、後に詳細に説明する）を意図的に製造することができ、充電装置は、充電装置から負荷モジュールへの経路インピーダンスが高すぎると判断した後、充電装置が保護状態に入るか否かを確認することによって、経路インピーダンスの保護機能の有効性を検証することができる。
【００３２】
以下、図１〜４を参照して本出願の実施例の充電装置のテストシステムを詳細に説明する。
【００３３】
図１に示すように、本出願の実施例の充電装置のテストシステム１００は、負荷モジュール１０と、テストボード２０と、充電装置３０と、を含む。
【００３４】
充電装置３０は、テストボード２０によって負荷モジュール１０と経路を形成し、すなわち充電装置３０によって出力された電流は、テストボード２０を通過して負荷モジュール１０に流れ、電流方向は、図１の矢印方向に示される。具体的には、図２に示すように、充電装置３０は、電源線３０１と通信線３０２とを有することができ、充電装置３０の電源線３０１は、テストボード２０によって負荷モジュール１０と経路を形成し、且つ充電装置３０の通信線３０２は、テストボード２０と通信してテストボード２０によって送信された情報を受信する。
【００３５】
なお、負荷モジュール１０は、バッテリなしの負荷であってもよく、テストボード２０と負荷モジュール１０は、電子機器の状態をシミュレーションすることができる。例えば、テストボード２０を介して電子機器の急速充電中のバッテリの状態をシミュレーションし、バッテリの状態は、バッテリ電流、バッテリ電圧などを含み、その後、テストボード２０は、シミュレーションされたバッテリ状態を充電装置３０に報告し、充電装置３０は、テストボード２０によって報告されたバッテリ状態に基づいて充電プロセスをシミュレーションすることができる。一例として、急速充電モードをシミュレーションする定電流充電中に、充電装置３０がテストボードによってアップロードされたバッテリ電圧に基づいて経路インピーダンスが異常であるか否かを判断するように、テストボード２０はバッテリ電圧を充電装置３０にアップロードすることができる。
【００３６】
実際のテスト中に、テストボード２０は、充電装置３０にテストのバッテリ電圧ＶＢＡＴを報告し、充電装置３０は、テストのバッテリ電圧ＶＢＡＴを受信し、テストのバッテリ電圧ＶＢＡＴに基づいて充電装置３０から負荷モジュール１０への経路インピーダンスを算出し、算出された経路インピーダンスに基づいて充電装置３０の作動状態を調整し、充電装置３０が保護状態に入っているか否かを確認して、充電装置３０の経路インピーダンスの保護機能をテストする。テストのバッテリ電圧ＶＢＡＴに基づいて算出された経路インピーダンスと基準インピーダンスとの間の差は、予め設定されたインピーダンスより大きい。
【００３７】
つまり、経路インピーダンスの保護機能をテストする場合、テストのバッテリ電圧ＶＢＡＴを予め決定し、テストボード２０によってアップロードされたバッテリ電圧をテストのバッテリ電圧ＶＢＡＴに設置し、充電装置３０は、通信線３０２を介してテストボード２０によって報告されたテストのバッテリ電圧ＶＢＡＴを受信し、テストのバッテリ電圧ＶＢＡＴに基づいて充電装置３０から負荷モジュール１０への経路インピーダンスを算出して、充電装置３０から負荷モジュール１０への経路インピーダンスに基づいて充電装置３０の作動状態（正常の作業状態、保護状態などを含むが、これらに限定されない）を制御し、充電装置３０から負荷モジュール１０への経路インピーダンスに基づいて充電装置３０の作動状態を制御した後、充電装置３０が保護状態に入っているか否かを確認して、充電装置３０の経路インピーダンスの保護機能をテストすることができる。
【００３８】
一例として、充電装置３０が急速充電モジュールに入った後、テストボード２０は、充電装置３０にテストのバッテリ電圧ＶＢＡＴを報告することができ、充電装置３０は、テストのバッテリ電圧ＶＢＡＴに基づいて充電装置３０から負荷モジュール１０への経路インピーダンスを算出し、算出された経路インピーダンスと基準インピーダンスとを比較し、次に、比較結果によって経路インピーダンスが異常であるか否かを判断する。すなわち、算出された経路インピーダンスと基準インピーダンスが予め設定されたインピーダンスより大きい場合、経路インピーダンスに異常が発生したと判断することができる。充電装置３０の経路インピーダンスの保護機能が正常であり、且つ経路インピーダンスに異常が発生した場合、充電装置３０は保護状態に入り、充電装置３０の経路インピーダンスの保護機能の故障（又は無効）又は経路インピーダンスに異常が発生しなかった場合、充電装置３０は正常の作業状態にあると判断する。
【００３９】
充電装置３０は、テストボード２０から報告可能なバッテリ電圧に基づいて経路インピーダンスが異常であるか否かを判断するため、テストボード２０は、偽のバッテリ電圧、すなわちテストのバッテリ電圧ＶＢＡＴを報告して、経路インピーダンスが高すぎる異常をシミュレーションする。すなわち、当該偽のバッテリ電圧ＶＢＡＴの設置は、原則として、充電装置３０が当該偽のバッテリ電圧ＶＢＡＴに基づいて算出された経路インピーダンスと基準インピーダンスとの差が、予め設定されたインピーダンスより大きいことを理解されたい。
【００４０】
さらに、充電装置３０の経路インピーダンスの保護機能をテストする場合、テストボード２０は、偽のバッテリ電圧ＶＢＡＴを充電装置３０に報告することができ、この時、充電装置３０が保護状態に入るか否かを判断することによって、充電装置３０が経路インピーダンスの保護機能を有するか否かを確認することができる。すなわち、充電装置が保護状態に入る場合、充電装置は、経路インピーダンスの保護機能を有するか、又は経路インピーダンスの保護機能が有効であることを確認し、充電装置が保護状態に入っていない場合、充電装置が経路インピーダンスの保護機能を有していないか、又は経路インピーダンスの保護機能が無効であると確認する。
【００４１】
これにより、充電装置の経路インピーダンスの保護機能が有効であるか否かを効果的にテストすることができ、且つ操作が簡単で、精度が高いので、充電装置の安全性及び安定性を確保し、経路インピーダンスの保護機能の問題によって充電装置にアフターセールスの問題が発生することを回避し、充電装置の品質を確保する。
【００４２】
本出願の一実施例によれば、充電装置３０は、充電装置３０の充電電圧と、テストボード２０によって報告されたテストのバッテリ電圧ＶＢＡＴと、充電装置３０の充電電流とに基づいて充電装置３０から負荷モジュール１０への経路インピーダンスを算出し、経路インピーダンスの保護機能が正常であり、且つ算出された経路インピーダンスと基準インピーダンスとの間の差が予め設定されたインピーダンスより大きい場合、充電装置３０は保護状態に入る。
【００４３】
なお、充電装置３０は、基準インピーダンスを予め記録することができ、基準インピーダンスは、正常の状況における経路インピーダンスの値であってもよい。例えば、基準インピーダンスは、予め記録された負荷モジュール１０の経路インピーダンスと、予め記録された充電装置３０から負荷モジュール１０との間の充電線路の経路インピーダンスとの合計を含むことができる。例えば、同じタイプの負荷モジュール１０は、構造が同じだから、負荷モジュール１０の経路インピーダンスは、同じ値に設置することができる。また、予め設定されたインピーダンスは、基準インピーダンスに対する最大の許容変動値であってもよい。
【００４４】
充電装置３０から負荷モジュール１０への経路インピーダンスは、負荷モジュール１０の経路インピーダンスと、充電装置３０から負荷モジュール１０への間の充電線路の経路インピーダンスと、を含むことができることを理解されたい。
【００４５】
充電装置３０が、テストボード２０によって報告されたテストのバッテリ電圧ＶＢＡＴを取得した後、充電装置３０の充電電圧、充電電流、及びテストのバッテリ電圧ＶＢＡＴに基づいて充電装置３０から負荷モジュール１０への経路インピーダンスを算出することができ、経路インピーダンスの保護機能が正常であり、且つ算出された経路インピーダンスと基準インピーダンスとの間の差が予め設定されたインピーダンスより大きい場合、充電装置３０は保護状態に入る。
【００４６】
具体的には、充電装置３０から負荷モジュール１０への経路インピーダンスＲは、充電装置３０の充電電圧ＶＢＡＴとテストのバッテリ電圧ＶＢＡＴとの差を、充電装置３０の充電電流Ｉで除算した値と等しいことができ、すなわち、充電装置３０は、以下の式に従って充電装置３０から負荷モジュール１０への経路インピーダンスを算出することができる。
Ｒ＝（ＶＢＵＳ−ＶＢＡＴ）／Ｉ
ただし、Ｒは充電装置３０から負荷モジュール１０への経路インピーダンスであり、ＶＢＵＳは充電装置３０の充電電圧であり、ＶＢＡＴはテストボード２０によって報告されたテストのバッテリ電圧であり、Ｉは充電装置３０の充電電流である。
【００４７】
本出願の一実施例では、テストボード２０は、テストボードの電圧をサンプリングし、テストボードの電圧Ｖ−ＡＤＣと、アナログインピーダンスの増加値△Ｒと、充電装置３０の充電電流Ｉとに基づいて、テストのバッテリ電圧ＶＢＡＴを算出することができる。その中、アナログインピーダンスの増加値△Ｒは、予め設定されたインピーダンス以上である。
【００４８】
具体的には、テストのバッテリ電圧ＶＢＡＴは、テストボードの電圧Ｖ−ＡＤＣからアナログインピーダンスの増加値と充電装置の充電電流Ｉとの積を減算した値に等しいことができ、すなわち、テストボード２０は、下の式に従ってテストのバッテリ電圧を算出することができる。
ＶＢＡＴ＝Ｖ−ＡＤＣ−△Ｒ＊Ｉ
ただし、ＶＢＡＴはテストのバッテリ電圧であり、Ｖ−ＡＤＣはテストボード２０の電圧であり、△Ｒはアナログインピーダンスの増加値であり、Ｉは充電装置３０の充電電流である。
【００４９】
なお、充電装置３０が急速充電モードに入った後、テストボード２０は、ボードの電圧Ｖ−ＡＤＣを現在のバッテリ電圧ＶＢＡＴ’としてサンプリングし、充電装置３０に報告することができ、充電装置３０は、式Ｒ=（ＶＢＵＳ-ＶＢＡＴ’）/Ｉに基づいて充電装置３０から負荷モジュール１０への経路インピーダンスを算出する。充電装置３０は、基準インピーダンスを記録することができ、次に、現在の状態での経路インピーダンスの増加値（すなわち、算出された経路インピーダンスから基準インピーダンスを減算する）を算出することによって経路インピーダンスが異常であるか否かを判断する。
【００５０】
充電装置３０は、報告された現在のバッテリ電圧ＶＢＡＴ’に基づいてインピーダンスが異常であるか否かを判断するため、充電装置３０が、経路インピーダンスの増加値が予め設定されたインピーダンスを超えたと判断することができるように、テストのバッテリ電圧ＶＢＡＴなどのような一つの偽のバッテリ電圧を報告することができる。例えば、アナログインピーダンスが△Ｒを増加する必要があると仮定すると、充電装置３０の現在の充電電流Ｉに基づいてテストボード２０によって採集されたボードの電圧をテストのバッテリ電圧ＶＢＡＴ＝Ｖ−ＡＤＣ−△Ｒ＊Ｉに変更することができる。
【００５１】
これにより、充電装置３０に偽のバッテリ電圧を報告することによって、経路インピーダンスの故障をシミュレーションし、自動テストを実現することができ、且つ操作が簡単で、精度が高い。
【００５２】
本出願の具体的な例では、負荷モジュール１０が定電圧負荷であることによって、充電装置３０の充電電流が定電流状態になることができる。例えば、負荷モジュール１０が電子負荷である場合、電子負荷は、電子負荷の電圧が一定に保たれるように、定電圧モードにある。負荷モジュール１０の電圧が一定であるため、充電装置３０の充電電流は、充電装置３０の充電電圧によってのみ変換し、充電装置３０の充電電圧が一定に保たれる場合、充電装置３０の充電電流も、定電流状態になることによって、操作がさらに簡略化される。
【００５３】
以下、充電装置のテストシステムの具体的な構造を説明する。
【００５４】
図２〜３に示すように、充電装置３０は電源線３０１を有することができ、充電装置３０は、電源線３０１を介して外部に電気エネルギーを出力することができ、例えば、電子機器のバッテリに充電したり、又は負荷モジュール１０に電気エネルギーを伝送する。具体的には、図３に示すように、電源線３０１は、正の電源線３０１ａと負の電源線３０１ｂとを含むことができ、テストボード２０は、第１の電源線２０１と第２の電源線２０２とを有し、テストボード２０の第１の電源線２０１の一端は、負荷モジュール１０の正極に接続され、テストボード２０の第１の電源線２０１の他端は、充電装置３０の正の電源線３０１ａに接続され、テストボード２０の第２の電源線２０２の一端は、負荷モジュール１０の負極に接続され、テストボード２０の第２の電源線２０２の他端は、充電装置３０の負の電源線３０１ｂに接続される。
【００５５】
正の電源線３０１ａは、充電装置３０の充電回路３０３の正出力端＋に接続されることができ、負の電源線３０１ｂは、充電装置３０の充電回路３０３の負出力端−に接続されることができる。
【００５６】
電流は、充電装置３０の充電回路３０３の正出力端＋から流出し、順次に正の電源線３０１ａと第１の電源線２０１を通過して負荷モジュール１０の正極に流入し、その後、負荷モジュール１０の正極から流出し、順次に第２の電源線２０２と負の電源線３０１ｂを通過して充電装置３０の充電回路３０３の負出力端−に流れることを理解できる。
【００５７】
一例として、充電装置３０が電子機器に接続される場合、正の電源線３０１ａと負の電源線３０１ｂは、バッテリの正極と負極にそれぞれ接続されて、電子機器のバッテリに充電することができる。
【００５８】
いくつかの実施例では、充電装置は、電圧検出回路と電流検出回路とを含むことができる。電圧検出回路は、充電装置３０の正の電源線３０１aの電圧をサンプリングして充電装置３０の充電電圧を取得し、サンプリングされた電圧値を制御モジュール３０４に送信してもよい。いくつかの実施例では、電圧検出回路は、直列電圧分割の方式によって正の電源線３０１aの電圧をサンプリングすることができる。電流検出回路は、正の電源線３０１a又は負の電源線３０１bの電流をサンプリングして充電装置３０の充電電流を取得し、サンプリングされた電流値を制御モジュール３０４に送信してもよい。いくつかの実施例では、電流検出回路は、電流検知抵抗器と検流計を介して正の電源線３０１a又は負の電源線３０１bの電流をサンプリングして検出することができる。
【００５９】
充電装置３０は、テストボード２０によって報告されたテストのバッテリ電圧ＶＢＡＴを取得した後、電圧検出回路によってサンプリングされた電圧値、電流検出回路によってサンプリングされた電流値、及びテストのバッテリ電圧ＶＢＡＴに基づいて、充電装置３０から負荷モジュール１０への経路インピーダンスを算出することができ、経路インピーダンスの保護機能が正常であり、且つ算出された経路インピーダンスと基準インピーダンスとの間の差が予め設定されたインピーダンスより大きい場合、充電装置３０は保護状態に入る。
【００６０】
図２〜３によれば、充電装置３０は、さらに、通信線３０２を有し、充電装置３０は、通信線３０２を介してテストボード２０と通信し、テストのバッテリ電圧ＶＢＡＴを受信する。一例として、電源線３０１と通信線３０２は、同じデータ線内に設置可能であり、当該データ線はＵＳＢ線であってもよい。これによって、充電装置とテストボードとの間の接続を実現することが容易になる。
【００６１】
図４によれば、テストボード２０は、スイッチングトランジスタ２０３と制御モジュール２０４とをさらに含み、スイッチングトランジスタ２０３は、第１の電源線２０１又は第２の電源線２０２に直列に接続され、制御モジュール２０４は、スイッチングトランジスタ２０３の制御極に接続され、制御モジュール２０４は、スイッチングトランジスタ２０３のオン又はオフを制御することによって充電装置３０から負荷モジュール１０への経路のオン又はオフを制御する。
【００６２】
スイッチングトランジスタ２０３がオンになる場合、充電装置３０から負荷モジュール１０への経路はオンになり、充電装置３０は、負荷モジュール１０に電気エネルギーを出力し、スイッチングトランジスタ２０３がオフになる場合、充電装置３０から負荷モジュール１０への経路が遮断され、充電装置３０は、負荷モジュール１０に電気エネルギーを出力することを停止することを理解できる。
【００６３】
制御モジュール２０３は、スイッチングトランジスタ２０３の制御極に接続され、充電装置３０に対して経路インピーダンスの保護機能のテストを行う場合、スイッチングトランジスタ２０３は、制御モジュール２０４の制御でオンになることができる。スイッチングトランジスタ２０３は、ＭＯＳ管又は三極管であってもよい。制御モジュール１０２は、ＭＣＵ（Ｍｉｃｒｏ−ｃｏｎｔｒｏｌｌｅｒ  Ｕｎｉｔ、マイクロ制御ユニット）であってもよい。
【００６４】
本出願のいくつかの実施例では、充電装置３０は、テストボード２０に返信情報を送信することもできる。返信情報は、充電装置３０の作動状態、又は充電装置３０が保護状態にあるか否か、又は経路インピーダンスの保護機能テストのテスト結果を指示する。
【００６５】
返信情報は、充電装置３０が保護状態にあるか否かを指示する場合、充電装置３０は、テストボード２０によって報告されたテストのバッテリ電圧に基づいて経路インピーダンスを算出し、算出された経路インピーダンスに基づいて充電装置３０の作動状態を調整した後、充電装置３０が保護状態にあるか否かをテストボード２０に送信し、テストボード２０は、充電装置３０が保護状態にあるか否かに基づいて充電装置３０が経路インピーダンスの保護機能を有するか否かを判断することができる。すなわち、充電装置が保護状態に入った場合、充電装置は、経路インピーダンスの保護機能を有すると確認し、充電装置が保護状態に入らなかった場合、充電装置は、経路インピーダンスの保護機能を有しないと確認することを理解できる。
【００６６】
返信情報が充電装置３０の作動状態を指示する場合、充電装置３０は、テストボード２０によって報告されたテストのバッテリ電圧に基づいて経路インピーダンスを算出し、算出された経路インピーダンスに基づいて充電装置３０の作動状態を調整した後、充電装置３０の作動状態をテストボード２０に送信し、テストボード２０は、受信された充電装置３０の作動状態に基づいて充電装置３０が保護状態にあるか否かを判断することができ、充電装置が保護状態に入った場合、充電装置は、経路インピーダンスの保護機能を有すると確認し、充電装置が保護状態に入らなかった場合、充電装置は、経路インピーダンスの保護機能を有しないと確認する。
【００６７】
返信情報が経路インピーダンスの保護機能テストのテスト結果を指示する場合、充電装置３０は、テストボード２０によって報告されたテストのバッテリ電圧に基づいて経路インピーダンスを算出し、算出された経路インピーダンスに基づいて充電装置３０の作動状態を調整した後、充電装置３０の作動状態は、充電装置３０が保護状態にあるか否かを判断することができ、充電装置が保護状態に入った場合、充電装置によって経路インピーダンスの保護機能を有すると確認し、充電装置が保護状態に入らなかった場合、充電装置は、経路インピーダンスの保護機能を有しないと確認する。次に、テスト結果をテストボード２０に送信する。
【００６８】
いくつかの実施例では、テストボード２０は、警告装置に接続されることもでき、テストボード２０は、充電装置が経路インピーダンスの保護機能を有するか否かを確認した後、警告装置を制御して警告情報を送信することによって、ユーザがテスト結果を直感的に理解できることが容易になる。一例として、警告モジュールはディスプレイであってもよい。
【００６９】
要約すると、本出願の実施例により提供される充電装置のテストシステムによれば、充電装置の電源線は、テストボードによって負荷モジュールと経路を形成し、充電装置は、通信線を介してテストボードによって報告されたバッテリ電圧を受信し、テストボードによって報告されたバッテリ電圧に基づいて経路のインピーダンスが予め設定されたインピーダンスより大きいと判断した場合に、充電装置が保護状態に入っているか否かを確認して、充電装置の経路インピーダンスの保護機能をテストすることによって、充電装置の経路インピーダンスの保護機能が有効であるか否かを効果的にテストすることができ、且つ操作が簡単で、精度が高いので、充電装置の安全性及び安定性を確保し、経路インピーダンスの保護機能の問題によって充電装置にアフターセールスの問題が発生することを回避し、充電装置の品質を確保する。
【００７０】
上記の実施例の充電装置のテストシステムに対応して、本出願では、充電装置のテスト方法をさらに提供する。
【００７１】
図５は、本出願の実施例により提供される充電装置のテスト方法の概略フローチャートである。充電装置は、テストボードによって負荷モジュールと経路を形成する。図５に示すように、当該充電装置のテスト方法は、以下のようなステップを含む。
ステップＳ１：テストボードによって報告されたテストのバッテリ電圧を受信する。
ステップＳ２：テストのバッテリ電圧に基づいて前記充電装置から負荷モジュールへの経路インピーダンスを算出し、算出された経路インピーダンスに基づいて充電装置の作動状態を調整し、その中、テストのバッテリ電圧に基づいて算出された経路インピーダンスと基準インピーダンスとの間の差は、予め設定されたインピーダンスより大きい。
ステップＳ３：充電装置が保護状態に入っているか否かを確認して、充電装置の経路インピーダンスの保護機能をテストする。
【００７２】
本出願の一実施例によれば、前記テストのバッテリ電圧に基づいて前記充電装置から前記負荷モジュールへの経路インピーダンスを算出するステップは、
前記充電装置の充電電圧と、前記テストボードによって報告されたテストのバッテリ電圧と、前記充電装置の充電電流とに基づいて前記充電装置から前記負荷モジュールへの経路インピーダンスを算出するステップを含み、
前記経路インピーダンスの保護機能が正常であり、且つ算出された経路インピーダンスと基準インピーダンスとの間の差が予め設定されたインピーダンスより大きい場合、前記充電装置は保護状態に入る。
【００７３】
本出願の一実施例によれば、以下の式に従って前記充電装置から前記負荷モジュールへの経路インピーダンスを算出し、
Ｒ＝（ＶＢＵＳ−ＶＢＡＴ）／Ｉ
ただし、Ｒは前記充電装置から前記負荷モジュールへの経路インピーダンスであり、ＶＢＵＳは前記充電装置の充電電圧であり、ＶＢＡＴは前記テストボードによって報告されたテストのバッテリ電圧であり、Ｉは前記充電装置の充電電流である。
【００７４】
本出願の一実施例によれば、前記テストのバッテリ電圧は、前記テストボードが、前記テストボードの電圧と、アナログインピーダンスの増加値と、前記充電装置の充電電流とに基づいて算出されるものである。
【００７５】
本出願の一実施例によれば、前記テストボードは、以下の式に従って前記テストのバッテリ電圧を算出し、
ＶＢＡＴ＝Ｖ−ＡＤＣ−△Ｒ＊Ｉ
ただし、ＶＢＡＴは前記テストのバッテリ電圧であり、Ｖ−ＡＤＣは前記テストボードの電圧であり、△Ｒはアナログインピーダンスの増加値であり、Ｉは前記充電装置の充電電流である。
【００７６】
本出願の一実施例によれば、アナログインピーダンスの増加値は、予め設定されたインピーダンス以上である。
【００７７】
本出願の一実施例によれば、前記負荷モジュールが定電圧負荷であることによって、前記充電装置の充電電流が定電流状態になる。
【００７８】
なお、上記の充電装置のテストシステム実施例の説明は、当該実施例の充電装置のテスト方法にも適用され、ここでは説明を省略する。
【００７９】
要約すると、本出願の実施例により提供される充電装置のテスト方法によれば、充電装置は、テストボードによって負荷モジュールと経路を形成し、テストボードによって報告されたテストのバッテリ電圧を取得し、テストのバッテリ電圧に基づいて充電装置から負荷モジュールへの経路インピーダンスを算出し、算出された経路インピーダンスに基づいて充電装置の作動状態を調整し、充電装置が保護状態に入っているか否かを確認して、充電装置の経路インピーダンスの保護機能をテストし、且つテストのバッテリ電圧に基づいて算出された経路インピーダンスと基準インピーダンスとの間の差は、予め設定されたインピーダンスより大きい、これによって、充電装置の経路インピーダンスの保護機能が有効であるか否かを効果的にテストすることができ、且つ操作が簡単で、精度が高いので、充電装置の安全性及び安定性を確保し、経路インピーダンスの保護機能の問題によって充電装置にアフターセールスの問題が発生することを回避し、充電装置の品質を確保する。
【００８０】
当業者は、以下のことを意識することができる。本出願に開示されている実施例に合わせて説明された各例のユニット及アルゴリズムステップは、電子ハードウェア、またはコンピュータソフトウェアと電子ハードウェアとの結合によって実現することができる。これらの機能が一体ハードウェア、それともソフトウェアの方式によって実行されるのかは、技術案の特定応用及び設計拘束条件によるものである。当業者は、各特定の応用に対して、説明された機能を異なる方法で実現することができ、このような実現は、本出願の範囲を超えたと考えてはいけない。
【００８１】
説明上の便利と簡潔で、上記説明されたシステム、装置及びユニットの具体的な作業プロセスは、前述の方法実施例における対応する過程を参照することができるため、ここで説明を省略する。これは当業者に明白に理解されるべきである。
【００８２】
本出願によって提供されるいくつかの実施例において、開示されているシステムと、装置と、方法とは、他の方式によって実現することができる。例えば、上記装置の実施例は、概略的なものだけである。例えば、前記ユニットの区分は、ロジック機能の区分だけである。実際に実現する時に、他の区分方式を有することができる。例えば、複数のユニットまたはコンポーネントは、結合することができる、または他のシステムに集成することができ、または一部の特徴を無視することができ、または実行しないことができる。一方、示されたまたは論議された相互間の結合または直接結合または通信接続は、一部のインターフェイスを介して、装置またはユニットの間接結合または通信接続であっても良く、電気的、機械的または他の形式であってもよい。
【００８３】
分離部品として説明された前記ユニットは、物理上に分離していてもよいし、物理上に分離していなくてもよい。ユニットとして示された部品は、物理的なユニットであってもよいし、物理的なユニットでなくてもよい。即ち、一つの場所にあってもよいし、または複数のネットワークユニットに分布されてもよい。必要に応じて、そのうちの一部または全部のユニットを選択して本実施例の技術案の目的を実現することができる。
【００８４】
また、本出願の各実施例においての各機能ユニットは、一つの処理ユニットに集められてもよいが、各ユニットが独立な物理存在であっても良く、二つ以上のユニットが一つのユニットに集めてもよい。
【００８５】
前記機能はソフトウェア機能ユニットの形で実現され独立な商品として販売又は使用される際、一つのコンピュータ読取可能媒体中に記憶されることはできる。このような理解に基づいて、本出願の技術案は本質上、又は従来技術に貢献する部分又は当該技術案の部分がソフトウェア商品の形で現れる事ができ、当該コンピュータ・ソフトウェア商品が一つの記憶媒体に記憶され、若干の命令を含むことで一台のコンピュータ装置（パーソナル・コンピュータや、サーバー、又はネット装置等）に本出願の各実施例の前記方法の全部又は一部のステップを実行させる。前記の記憶媒体は、Ｕディスクと、リムーバブルハードディスクと、読み出し専用メモリ（ＲＯＭ，Ｒｅａｄ−Ｏｎｌｙ Ｍｅｍｏｒｙ）と、ランダムアクセスメモリ（ＲＡＭ，Ｒａｎｄｏｍ Ａｃｃｅｓｓ Ｍｅｍｏｒｙ）と、ディスクまたはＣＤ等様々なプログラムコードを記憶できる媒体を含む。
【００８６】
以上の記載は、本出願の実施形態に過ぎなく、本出願の保護範囲はこれに限定されない。当分野に詳しい全ての当業者が本出願に開示された技術範囲内で容易に想到する変化または取り替えは、本出願の保護範囲に含まれるべきである。従って、本出願の保護範囲はその特許請求の範囲に準ずるべきである。
【図１】
2021502041.tif 000003
【図２】
2021502041.tif 000004
【図３】
2021502041.tif 000005
【図４】
2021502041.tif 000006
【図５】
2021502041.tif 000007
【手続補正書】
【提出日】令和2年1月22日(2020.1.22)
【手続補正１】
【補正対象書類名】明細書
【補正対象項目名】全文
【補正方法】変更
【補正の内容】
【発明の詳細な説明】
【技術分野】
【０００１】
本出願は、充電技術の分野に関し、特に、充電装置のテストシステム及び充電装置のテスト方法に関する。
【背景技術】
【０００２】
関連技術では、アダプタなどの充電装置を電子機器と結合してテストし、具体的には、アダプタと電子機器との間の経路に抵抗器を直列に接続してから、アダプタに経路インピーダンスの保護機能があるか否かを確認する。しかし、関連技術では、手動で経路に抵抗器を直列に接続するため、誤差が大きく、操作が不便である問題が存在する。
【発明の概要】
【発明が解決しようとする課題】
【０００３】
本出願は、充電装置のテストシステム及び方法を提供し、充電装置の経路インピーダンスの保護機能が有効であるか否かを効果的にテストすることができ、且つ操作が簡単で、精度が高い。
【課題を解決するための手段】
【０００４】
本出願第１の方面実施例により提供される充電装置のテストシステムは、負荷モジュールと、テストボードと、充電装置と、を含み、前記充電装置は、前記テストボードによって前記負荷モジュールと経路を形成し、前記テストボードは、前記充電装置にテストのバッテリ電圧を報告し、前記充電装置は、前記テストのバッテリ電圧を受信し、前記テストのバッテリ電圧に基づいて前記充電装置から前記負荷モジュールへの経路インピーダンスを算出し、算出された経路インピーダンスに基づいて前記充電装置の作動状態を調整し、前記充電装置が保護状態に入っているか否かを確認して、前記充電装置の経路インピーダンスの保護機能をテストし、前記テストのバッテリ電圧に基づいて算出された経路インピーダンスと基準インピーダンスとの間の差は、予め設定されたインピーダンスより大きい。
【０００５】
本出願の実施例により提供される充電装置のテストシステムによれば、充電装置は、テストボードによって負荷モジュールと経路を形成し、テストボード充電装置にテストのバッテリ電圧を報告し、充電装置はテストのバッテリ電圧に基づいて充電装置から負荷モジュールへの経路インピーダンスを算出し、算出された経路インピーダンスに基づいて充電装置の作動状態を調整し、充電装置が保護状態に入っているか否かを確認して、充電装置の経路インピーダンスの保護機能をテストし、且つテストのバッテリ電圧に基づいて算出された経路インピーダンスと基準インピーダンスとの間の差は、予め設定されたインピーダンスより大きい。これによって、充電装置の経路インピーダンスの保護機能が有効であるか否かを効果的にテストすることができ、且つ操作が簡単で、精度が高いので、充電装置の安全性及び安定性を確保し、経路インピーダンスの保護機能の問題によって充電装置にアフターセールスの問題が発生することを回避し、充電装置の品質を確保する。
【０００６】
本出願の一実施例によれば、前記充電装置は、前記充電装置の充電電圧と、前記テストボードによって報告されたテストのバッテリ電圧と、前記充電装置の充電電流とに基づいて前記充電装置から前記負荷モジュールへの経路インピーダンスを算出し、前記経路インピーダンスの保護機能が正常であり、且つ算出された経路インピーダンスと基準インピーダンスとの間の差が予め設定されたインピーダンスより大きい場合、前記充電装置は保護状態に入る。
【０００７】
本出願の一実施例によれば、前記充電装置は、以下の式に従って前記充電装置から前記負荷モジュールへの経路インピーダンスを算出し、
Ｒ＝（ＶＢＵＳ−ＶＢＡＴ）／Ｉ
ただし、Ｒは前記充電装置から前記負荷モジュールへの経路インピーダンスであり、ＶＢＵＳは前記充電装置の充電電圧であり、ＶＢＡＴは前記テストボードによって報告されたテストのバッテリ電圧であり、Ｉは前記充電装置の充電電流である。
【０００８】
本出願の一実施例によれば、前記テストボードは、前記テストボードの電圧をサンプリングし、前記テストボードの電圧と、アナログインピーダンスの増加値と、前記充電装置の充電電流とに基づいて前記テストのバッテリ電圧を算出する。
【０００９】
本出願の一実施例によれば、前記テストボードは、以下の式に従って前記テストのバッテリ電圧を算出し、
ＶＢＡＴ＝Ｖ−ＡＤＣ−△Ｒ＊Ｉ
ただし、ＶＢＡＴは前記テストのバッテリ電圧であり、Ｖ−ＡＤＣは前記テストボードの電圧であり、△Ｒはアナログインピーダンスの増加値であり、Ｉは前記充電装置の充電電流である。
【００１０】
本出願の一実施例によれば、前記アナログインピーダンスの増加値は、前記予め設定されたインピーダンス以上である。
【００１１】
本出願の一実施例によれば、前記負荷モジュールが定電圧負荷であることによって、前記充電装置の充電電流が定電流状態になる。
【００１２】
本出願の一実施例によれば、前記充電装置は、正の電源線と負の電源線とを含む電源線を有し、前記テストボードは、第１の電源線と第２の電源線とを有し、前記テストボードの第１の電源線の一端は、前記負荷モジュールの正極に接続され、前記テストボードの第１の電源線の他端は、前記充電装置の正の電源線に接続され、前記テストボードの第２の電源線の一端は、前記負荷モジュールの負極に接続され、前記テストボードの第２の電源線の他端は、前記充電装置の負の電源線に接続される。
【００１３】
本出願の一実施例によれば、前記テストボードは、前記第１の電源線又は前記第２の電源線に直列に接続されるスイッチングトランジスタと、前記スイッチングトランジスタの制御極に接続され、スイッチングトランジスタのオン又はオフを制御することによって前記充電装置から前記負荷モジュールへの経路のオン又はオフを制御する制御モジュールと、をさらに含む。
【００１４】
本出願の一実施例によれば、前記充電装置は、通信線をさらに有し、前記充電装置は、前記通信線を介して前記テストボードと通信して、前記テストのバッテリ電圧を受信する。
【００１５】
本出願の一実施例によれば、前記電源線は、前記通信線と同じデータ線内に設けられる。
【００１６】
本出願の一実施例によれば、前記データ線はＵＳＢ線である。
【００１７】
上記の目的を達成するために、本出願の第２の側面の実施例により提供される充電装置のテスト方法は、前記充電装置は、テストボードによって負荷モジュールと経路を形成し、前記方法は、
前記テストボードによって報告されたテストのバッテリ電圧を受信するステップと、前記テストのバッテリ電圧に基づいて前記充電装置から前記負荷モジュールへの経路インピーダンスを算出し、算出された経路インピーダンスに基づいて前記充電装置の作動状態を調整するステップであって、前記テストのバッテリ電圧に基づいて算出された経路インピーダンスと基準インピーダンスとの間の差は、予め設定されたインピーダンスより大きいステップと、前記充電装置が保護状態に入っているか否かを確認して、前記充電装置の経路インピーダンスの保護機能をテストするステップと、を含む。
【００１８】
本出願の実施例により提供される充電装置のテスト方法によれば、充電装置は、テストボードによって負荷モジュールと経路を形成し、テストボードによって報告されたテストのバッテリ電圧を取得し、テストのバッテリ電圧に基づいて充電装置から負荷モジュールへの経路インピーダンスを算出し、算出された経路インピーダンスに基づいて充電装置の作動状態を調整し、充電装置が保護状態に入っているか否かを確認して、充電装置の経路インピーダンスの保護機能をテストし、且つテストのバッテリ電圧に基づいて算出された経路インピーダンスと基準インピーダンスとの間の差は、予め設定されたインピーダンスより大きい、これによって、充電装置の経路インピーダンスの保護機能が有効であるか否かを効果的にテストすることができ、且つ操作が簡単で、精度が高いので、充電装置の安全性及び安定性を確保し、経路インピーダンスの保護機能の問題によって充電装置にアフターセールスの問題が発生することを回避し、充電装置の品質を確保する。
【００１９】
本出願の一実施例によれば、前記テストのバッテリ電圧に基づいて前記充電装置から前記負荷モジュールへの経路インピーダンスを算出するステップは、前記充電装置の充電電圧と、前記テストボードによって報告されたテストのバッテリ電圧と、前記充電装置の充電電流とに基づいて前記充電装置から前記負荷モジュールへの経路インピーダンスを算出するステップを含み、前記経路インピーダンスの保護機能が正常であり、且つ算出された経路インピーダンスと基準インピーダンスとの間の差が予め設定されたインピーダンスより大きい場合、前記充電装置は保護状態に入る。
【００２０】
本出願の一実施例によれば、以下の式に従って前記充電装置から前記負荷モジュールへの経路インピーダンスを算出し、
Ｒ＝（ＶＢＵＳ−ＶＢＡＴ）／Ｉ
ただし、Ｒは前記充電装置から前記負荷モジュールへの経路インピーダンスであり、ＶＢＵＳは前記充電装置の充電電圧であり、ＶＢＡＴは前記テストボードによって報告されたテストのバッテリ電圧であり、Ｉは前記充電装置の充電電流である。
【００２１】
本出願の一実施例によれば、前記テストのバッテリ電圧は、前記テストボードによって、前記テストボードの電圧と、アナログインピーダンスの増加値と、前記充電装置の充電電流に基づいて算出される。
【００２２】
本出願の一実施例によれば、前記テストボードは、以下の式に従って前記テストのバッテリ電圧を算出し、
ＶＢＡＴ＝Ｖ−ＡＤＣ−△Ｒ＊Ｉ
ただし、ＶＢＡＴは前記テストのバッテリ電圧であり、Ｖ−ＡＤＣは前記テストボードの電圧であり、△Ｒはアナログインピーダンスの増加値であり、Ｉは前記充電装置の充電電流である。
【００２３】
本出願の一実施例によれば、前記アナログインピーダンスの増加値は、前記予め設定されたインピーダンス以上である。
【００２４】
本出願の一実施例によれば、前記負荷モジュールが定電圧負荷であることによって、前記充電装置の充電電流が定電流状態になる。
【００２５】
本出願の付加的な特徴及び利点は、一部が以下の説明において示され、一部が以下の説明により明らかになり、又は本出願の実践により理解される。
【図面の簡単な説明】
【００２６】
本出願の上記及び/又は付加的な特徴及び利点は、図面を参照して実施例に対する以下の説明により、明らかになり、理解されやすくなる。
【図１】本出願の実施例の充電装置のテストシステムのブロック概略図である。
【図２】本出願の一実施例の充電装置のテストシステムのブロック概略図である。
【図３】本出願の別の実施例の充電装置のテストシステムのブロック概略図である。
【図４】本出願のもう一つの実施例の充電装置のテストシステムのブロック概略図である。
【図５】本出願の実施例の充電装置のテスト方法の概略フローチャートである。
【発明を実施するための形態】
【００２７】
以下、本出願の実施例を詳細に説明する。前記実施例における例が図面に示され、同一又は類似する符号は、常に同一又は類似する素子、或いは、同一又は類似する機能を有する素子を示す。以下に、図面を参照しながら説明される実施例は例示的なものであり、本出願を解釈するためだけに用いられ、本出願を限定するものと理解してはいけない。
【００２８】
以下、図面を参照して本出願の実施例の充電装置のテストシステム及び方法を説明し、当該充電装置のテストシステム及び方法は、充電装置の経路インピーダンスの保護機能をテストする。
【００２９】
本出願の実施例では、充電装置は、電子機器に充電するために使用される。電子機器は、端末を指すことができ、当該「端末」は、スマートフォン、コンピュータ、パーソナルデジタルアシスタント（ｐｅｒＳｏｎａｌ  ｄｉｇｉｔａｌ  ａＳＳｉＳｔａｎｔ、ＰＤＡ）、ウェアラブルデバイス、ブルートゥースヘッドセット、ゲーム機器、撮像デバイスなどを含むことができるが、これらに限定されない。充電装置は、アダプタ、モバイル電源（モバイルバッテリ）、車載充電器などの端末に充電する機能を有する機器であってもよい。アダプタを例として、充電装置は、ＶＯＯＣアダプタであってもよく、ＶＯＯＣアダプタの充電回路は、充電インターフェースを介して電子機器のバッテリに直接に接続することができる。
【００３０】
充電装置が電子機器を充電する中に、充電の安全性を確保するために、充電装置に経路インピーダンスの保護機能を設置し、すなわち、充電装置と電子機器のバッテリとの間の経路インピーダンスを検出する。例えば、充電装置とバッテリとの間の経路インピーダンスは、電子機器の経路インピーダンス、及び充電装置と電子機器との間の充電線路の経路インピーダンスを含むことができることを理解されたい。これにより、実際の使用中では、充電装置は、充電装置とバッテリとの間の経路インピーダンスを取得し、充電装置とバッテリとの間の経路インピーダンスが大きすぎる場合、経路インピーダンスに異常が発生したと見なされ、充電装置は保護状態に入る。
【００３１】
このために、本出願の実施例の充電装置のテストシステムは、充電装置のテスト中に上記経路インピーダンスの異常をシミュレーションして、充電装置が保護状態に入るか否かを確認する。例えば、負荷モジュール、テストボード、及び充電装置が、順次直列に接続されて経路を形成し、テストボードによって電子機器の状態をシミュレーションし、充電装置とリアルタイムに通信し、テストボードは、経路インピーダンスが大きすぎる故障（具体的な故障製造方式は、後に詳細に説明する）を意図的に製造することができ、充電装置は、充電装置から負荷モジュールへの経路インピーダンスが高すぎると判断した後、充電装置が保護状態に入るか否かを確認することによって、経路インピーダンスの保護機能の有効性を検証することができる。
【００３２】
以下、図１〜４を参照して本出願の実施例の充電装置のテストシステムを詳細に説明する。
【００３３】
図１に示すように、本出願の実施例の充電装置のテストシステム１００は、負荷モジュール１０と、テストボード２０と、充電装置３０と、を含む。
【００３４】
充電装置３０は、テストボード２０によって負荷モジュール１０と経路を形成し、すなわち充電装置３０によって出力された電流は、テストボード２０を通過して負荷モジュール１０に流れ、電流方向は、図１の矢印方向に示される。具体的には、図２に示すように、充電装置３０は、電源線３０１と通信線３０２とを有することができ、充電装置３０の電源線３０１は、テストボード２０によって負荷モジュール１０と経路を形成し、且つ充電装置３０の通信線３０２は、テストボード２０と通信してテストボード２０によって送信された情報を受信する。
【００３５】
なお、負荷モジュール１０は、バッテリなしの負荷であってもよく、テストボード２０と負荷モジュール１０は、電子機器の状態をシミュレーションすることができる。例えば、テストボード２０を介して電子機器の急速充電中のバッテリの状態をシミュレーションし、バッテリの状態は、バッテリ電流、バッテリ電圧などを含み、その後、テストボード２０は、シミュレーションされたバッテリ状態を充電装置３０に報告し、充電装置３０は、テストボード２０によって報告されたバッテリ状態に基づいて充電プロセスをシミュレーションすることができる。一例として、急速充電モードをシミュレーションする定電流充電中に、充電装置３０がテストボードによってアップロードされたバッテリ電圧に基づいて経路インピーダンスが異常であるか否かを判断するように、テストボード２０はバッテリ電圧を充電装置３０にアップロードすることができる。
【００３６】
実際のテスト中に、テストボード２０は、充電装置３０にテストのバッテリ電圧ＶＢＡＴを報告し、充電装置３０は、テストのバッテリ電圧ＶＢＡＴを受信し、テストのバッテリ電圧ＶＢＡＴに基づいて充電装置３０から負荷モジュール１０への経路インピーダンスを算出し、算出された経路インピーダンスに基づいて充電装置３０の作動状態を調整し、充電装置３０が保護状態に入っているか否かを確認して、充電装置３０の経路インピーダンスの保護機能をテストする。テストのバッテリ電圧ＶＢＡＴに基づいて算出された経路インピーダンスと基準インピーダンスとの間の差は、予め設定されたインピーダンスより大きい。
【００３７】
つまり、経路インピーダンスの保護機能をテストする場合、テストのバッテリ電圧ＶＢＡＴを予め決定し、テストボード２０によってアップロードされたバッテリ電圧をテストのバッテリ電圧ＶＢＡＴに設置し、充電装置３０は、通信線３０２を介してテストボード２０によって報告されたテストのバッテリ電圧ＶＢＡＴを受信し、テストのバッテリ電圧ＶＢＡＴに基づいて充電装置３０から負荷モジュール１０への経路インピーダンスを算出して、充電装置３０から負荷モジュール１０への経路インピーダンスに基づいて充電装置３０の作動状態（正常の作業状態、保護状態などを含むが、これらに限定されない）を制御し、充電装置３０から負荷モジュール１０への経路インピーダンスに基づいて充電装置３０の作動状態を制御した後、充電装置３０が保護状態に入っているか否かを確認して、充電装置３０の経路インピーダンスの保護機能をテストすることができる。
【００３８】
一例として、充電装置３０が急速充電モジュールに入った後、テストボード２０は、充電装置３０にテストのバッテリ電圧ＶＢＡＴを報告することができ、充電装置３０は、テストのバッテリ電圧ＶＢＡＴに基づいて充電装置３０から負荷モジュール１０への経路インピーダンスを算出し、算出された経路インピーダンスと基準インピーダンスとを比較し、次に、比較結果によって経路インピーダンスが異常であるか否かを判断する。すなわち、算出された経路インピーダンスと基準インピーダンスが予め設定されたインピーダンスより大きい場合、経路インピーダンスに異常が発生したと判断することができる。充電装置３０の経路インピーダンスの保護機能が正常であり、且つ経路インピーダンスに異常が発生した場合、充電装置３０は保護状態に入り、充電装置３０の経路インピーダンスの保護機能の故障（又は無効）又は経路インピーダンスに異常が発生しなかった場合、充電装置３０は正常の作業状態にあると判断する。
【００３９】
充電装置３０は、テストボード２０から報告可能なバッテリ電圧に基づいて経路インピーダンスが異常であるか否かを判断するため、テストボード２０は、偽のバッテリ電圧、すなわちテストのバッテリ電圧ＶＢＡＴを報告して、経路インピーダンスが高すぎる異常をシミュレーションする。すなわち、当該偽のバッテリ電圧ＶＢＡＴの設置は、原則として、充電装置３０が当該偽のバッテリ電圧ＶＢＡＴに基づいて算出された経路インピーダンスと基準インピーダンスとの差が、予め設定されたインピーダンスより大きいことを理解されたい。
【００４０】
さらに、充電装置３０の経路インピーダンスの保護機能をテストする場合、テストボード２０は、偽のバッテリ電圧ＶＢＡＴを充電装置３０に報告することができ、この時、充電装置３０が保護状態に入るか否かを判断することによって、充電装置３０が経路インピーダンスの保護機能を有するか否かを確認することができる。すなわち、充電装置が保護状態に入る場合、充電装置は、経路インピーダンスの保護機能を有するか、又は経路インピーダンスの保護機能が有効であることを確認し、充電装置が保護状態に入っていない場合、充電装置が経路インピーダンスの保護機能を有していないか、又は経路インピーダンスの保護機能が無効であると確認する。
【００４１】
これにより、充電装置の経路インピーダンスの保護機能が有効であるか否かを効果的にテストすることができ、且つ操作が簡単で、精度が高いので、充電装置の安全性及び安定性を確保し、経路インピーダンスの保護機能の問題によって充電装置にアフターセールスの問題が発生することを回避し、充電装置の品質を確保する。
【００４２】
本出願の一実施例によれば、充電装置３０は、充電装置３０の充電電圧と、テストボード２０によって報告されたテストのバッテリ電圧ＶＢＡＴと、充電装置３０の充電電流とに基づいて充電装置３０から負荷モジュール１０への経路インピーダンスを算出し、経路インピーダンスの保護機能が正常であり、且つ算出された経路インピーダンスと基準インピーダンスとの間の差が予め設定されたインピーダンスより大きい場合、充電装置３０は保護状態に入る。
【００４３】
なお、充電装置３０は、基準インピーダンスを予め記録することができ、基準インピーダンスは、正常の状況における経路インピーダンスの値であってもよい。例えば、基準インピーダンスは、予め記録された負荷モジュール１０の経路インピーダンスと、予め記録された充電装置３０から負荷モジュール１０との間の充電線路の経路インピーダンスとの合計を含むことができる。例えば、同じタイプの負荷モジュール１０は、構造が同じだから、負荷モジュール１０の経路インピーダンスは、同じ値に設置することができる。また、予め設定されたインピーダンスは、基準インピーダンスに対する最大の許容変動値であってもよい。
【００４４】
充電装置３０から負荷モジュール１０への経路インピーダンスは、負荷モジュール１０の経路インピーダンスと、充電装置３０から負荷モジュール１０への間の充電線路の経路インピーダンスと、を含むことができることを理解されたい。
【００４５】
充電装置３０が、テストボード２０によって報告されたテストのバッテリ電圧ＶＢＡＴを取得した後、充電装置３０の充電電圧、充電電流、及びテストのバッテリ電圧ＶＢＡＴに基づいて充電装置３０から負荷モジュール１０への経路インピーダンスを算出することができ、経路インピーダンスの保護機能が正常であり、且つ算出された経路インピーダンスと基準インピーダンスとの間の差が予め設定されたインピーダンスより大きい場合、充電装置３０は保護状態に入る。
【００４６】
具体的には、充電装置３０から負荷モジュール１０への経路インピーダンスＲは、充電装置３０の充電電圧ＶＢＡＴとテストのバッテリ電圧ＶＢＡＴとの差を、充電装置３０の充電電流Ｉで除算した値と等しいことができ、すなわち、充電装置３０は、以下の式に従って充電装置３０から負荷モジュール１０への経路インピーダンスを算出することができる。
Ｒ＝（ＶＢＵＳ−ＶＢＡＴ）／Ｉ
ただし、Ｒは充電装置３０から負荷モジュール１０への経路インピーダンスであり、ＶＢＵＳは充電装置３０の充電電圧であり、ＶＢＡＴはテストボード２０によって報告されたテストのバッテリ電圧であり、Ｉは充電装置３０の充電電流である。
【００４７】
本出願の一実施例では、テストボード２０は、テストボードの電圧をサンプリングし、テストボードの電圧Ｖ−ＡＤＣと、アナログインピーダンスの増加値△Ｒと、充電装置３０の充電電流Ｉとに基づいて、テストのバッテリ電圧ＶＢＡＴを算出することができる。その中、アナログインピーダンスの増加値△Ｒは、予め設定されたインピーダンス以上である。
【００４８】
具体的には、テストのバッテリ電圧ＶＢＡＴは、テストボードの電圧Ｖ−ＡＤＣからアナログインピーダンスの増加値と充電装置の充電電流Ｉとの積を減算した値に等しいことができ、すなわち、テストボード２０は、下の式に従ってテストのバッテリ電圧を算出することができる。
ＶＢＡＴ＝Ｖ−ＡＤＣ−△Ｒ＊Ｉ
ただし、ＶＢＡＴはテストのバッテリ電圧であり、Ｖ−ＡＤＣはテストボード２０の電圧であり、△Ｒはアナログインピーダンスの増加値であり、Ｉは充電装置３０の充電電流である。
【００４９】
なお、充電装置３０が急速充電モードに入った後、テストボード２０は、ボードの電圧Ｖ−ＡＤＣを現在のバッテリ電圧ＶＢＡＴ’としてサンプリングし、充電装置３０に報告することができ、充電装置３０は、式Ｒ=（ＶＢＵＳ-ＶＢＡＴ’）/Ｉに基づいて充電装置３０から負荷モジュール１０への経路インピーダンスを算出する。充電装置３０は、基準インピーダンスを記録することができ、次に、現在の状態での経路インピーダンスの増加値（すなわち、算出された経路インピーダンスから基準インピーダンスを減算する）を算出することによって経路インピーダンスが異常であるか否かを判断する。
【００５０】
充電装置３０は、報告された現在のバッテリ電圧ＶＢＡＴ’に基づいてインピーダンスが異常であるか否かを判断するため、充電装置３０が、経路インピーダンスの増加値が予め設定されたインピーダンスを超えたと判断することができるように、テストのバッテリ電圧ＶＢＡＴなどのような一つの偽のバッテリ電圧を報告することができる。例えば、アナログインピーダンスが△Ｒを増加する必要があると仮定すると、充電装置３０の現在の充電電流Ｉに基づいてテストボード２０によって採集されたボードの電圧をテストのバッテリ電圧ＶＢＡＴ＝Ｖ−ＡＤＣ−△Ｒ＊Ｉに変更することができる。
【００５１】
これにより、充電装置３０に偽のバッテリ電圧を報告することによって、経路インピーダンスの故障をシミュレーションし、自動テストを実現することができ、且つ操作が簡単で、精度が高い。
【００５２】
本出願の具体的な例では、負荷モジュール１０が定電圧負荷であることによって、充電装置３０の充電電流が定電流状態になることができる。例えば、負荷モジュール１０が電子負荷である場合、電子負荷は、電子負荷の電圧が一定に保たれるように、定電圧モードにある。負荷モジュール１０の電圧が一定であるため、充電装置３０の充電電流は、充電装置３０の充電電圧によってのみ変換し、充電装置３０の充電電圧が一定に保たれる場合、充電装置３０の充電電流も、定電流状態になることによって、操作がさらに簡略化される。
【００５３】
以下、充電装置のテストシステムの具体的な構造を説明する。
【００５４】
図２〜３に示すように、充電装置３０は電源線３０１を有することができ、充電装置３０は、電源線３０１を介して外部に電気エネルギーを出力することができ、例えば、電子機器のバッテリに充電したり、又は負荷モジュール１０に電気エネルギーを伝送する。具体的には、図３に示すように、電源線３０１は、正の電源線３０１ａと負の電源線３０１ｂとを含むことができ、テストボード２０は、第１の電源線２０１と第２の電源線２０２とを有し、テストボード２０の第１の電源線２０１の一端は、負荷モジュール１０の正極に接続され、テストボード２０の第１の電源線２０１の他端は、充電装置３０の正の電源線３０１ａに接続され、テストボード２０の第２の電源線２０２の一端は、負荷モジュール１０の負極に接続され、テストボード２０の第２の電源線２０２の他端は、充電装置３０の負の電源線３０１ｂに接続される。
【００５５】
正の電源線３０１ａは、充電装置３０の充電回路３０３の正出力端＋に接続されることができ、負の電源線３０１ｂは、充電装置３０の充電回路３０３の負出力端−に接続されることができる。
【００５６】
電流は、充電装置３０の充電回路３０３の正出力端＋から流出し、順次に正の電源線３０１ａと第１の電源線２０１を通過して負荷モジュール１０の正極に流入し、その後、負荷モジュール１０の正極から流出し、順次に第２の電源線２０２と負の電源線３０１ｂを通過して充電装置３０の充電回路３０３の負出力端−に流れることを理解できる。
【００５７】
一例として、充電装置３０が電子機器に接続される場合、正の電源線３０１ａと負の電源線３０１ｂは、バッテリの正極と負極にそれぞれ接続されて、電子機器のバッテリに充電することができる。
【００５８】
いくつかの実施例では、充電装置は、電圧検出回路と電流検出回路とを含むことができる。電圧検出回路は、充電装置３０の正の電源線３０１aの電圧をサンプリングして充電装置３０の充電電圧を取得し、サンプリングされた電圧値を制御モジュール３０４に送信してもよい。いくつかの実施例では、電圧検出回路は、直列電圧分割の方式によって正の電源線３０１aの電圧をサンプリングすることができる。電流検出回路は、正の電源線３０１a又は負の電源線３０１bの電流をサンプリングして充電装置３０の充電電流を取得し、サンプリングされた電流値を制御モジュール３０４に送信してもよい。いくつかの実施例では、電流検出回路は、電流検知抵抗器と検流計を介して正の電源線３０１a又は負の電源線３０１bの電流をサンプリングして検出することができる。
【００５９】
充電装置３０は、テストボード２０によって報告されたテストのバッテリ電圧ＶＢＡＴを取得した後、電圧検出回路によってサンプリングされた電圧値、電流検出回路によってサンプリングされた電流値、及びテストのバッテリ電圧ＶＢＡＴに基づいて、充電装置３０から負荷モジュール１０への経路インピーダンスを算出することができ、経路インピーダンスの保護機能が正常であり、且つ算出された経路インピーダンスと基準インピーダンスとの間の差が予め設定されたインピーダンスより大きい場合、充電装置３０は保護状態に入る。
【００６０】
図２〜３によれば、充電装置３０は、さらに、通信線３０２を有し、充電装置３０は、通信線３０２を介してテストボード２０と通信し、テストのバッテリ電圧ＶＢＡＴを受信する。一例として、電源線３０１と通信線３０２は、同じデータ線内に設置可能であり、当該データ線はＵＳＢ線であってもよい。これによって、充電装置とテストボードとの間の接続を実現することが容易になる。
【００６１】
図４によれば、テストボード２０は、スイッチングトランジスタ２０３と制御モジュール２０４とをさらに含み、スイッチングトランジスタ２０３は、第１の電源線２０１又は第２の電源線２０２に直列に接続され、制御モジュール２０４は、スイッチングトランジスタ２０３の制御極に接続され、制御モジュール２０４は、スイッチングトランジスタ２０３のオン又はオフを制御することによって充電装置３０から負荷モジュール１０への経路のオン又はオフを制御する。
【００６２】
スイッチングトランジスタ２０３がオンになる場合、充電装置３０から負荷モジュール１０への経路はオンになり、充電装置３０は、負荷モジュール１０に電気エネルギーを出力し、スイッチングトランジスタ２０３がオフになる場合、充電装置３０から負荷モジュール１０への経路が遮断され、充電装置３０は、負荷モジュール１０に電気エネルギーを出力することを停止することを理解できる。
【００６３】
制御モジュール２０３は、スイッチングトランジスタ２０３の制御極に接続され、充電装置３０に対して経路インピーダンスの保護機能のテストを行う場合、スイッチングトランジスタ２０３は、制御モジュール２０４の制御でオンになることができる。スイッチングトランジスタ２０３は、ＭＯＳ管又は三極管であってもよい。制御モジュール１０２は、ＭＣＵ（Ｍｉｃｒｏ−ｃｏｎｔｒｏｌｌｅｒ  Ｕｎｉｔ、マイクロ制御ユニット）であってもよい。
【００６４】
本出願のいくつかの実施例では、充電装置３０は、テストボード２０に返信情報を送信することもできる。返信情報は、充電装置３０の作動状態、又は充電装置３０が保護状態にあるか否か、又は経路インピーダンスの保護機能テストのテスト結果を指示する。
【００６５】
返信情報は、充電装置３０が保護状態にあるか否かを指示する場合、充電装置３０は、テストボード２０によって報告されたテストのバッテリ電圧に基づいて経路インピーダンスを算出し、算出された経路インピーダンスに基づいて充電装置３０の作動状態を調整した後、充電装置３０が保護状態にあるか否かをテストボード２０に送信し、テストボード２０は、充電装置３０が保護状態にあるか否かに基づいて充電装置３０が経路インピーダンスの保護機能を有するか否かを判断することができる。すなわち、充電装置が保護状態に入った場合、充電装置は、経路インピーダンスの保護機能を有すると確認し、充電装置が保護状態に入らなかった場合、充電装置は、経路インピーダンスの保護機能を有しないと確認することを理解できる。
【００６６】
返信情報が充電装置３０の作動状態を指示する場合、充電装置３０は、テストボード２０によって報告されたテストのバッテリ電圧に基づいて経路インピーダンスを算出し、算出された経路インピーダンスに基づいて充電装置３０の作動状態を調整した後、充電装置３０の作動状態をテストボード２０に送信し、テストボード２０は、受信された充電装置３０の作動状態に基づいて充電装置３０が保護状態にあるか否かを判断することができ、充電装置が保護状態に入った場合、充電装置は、経路インピーダンスの保護機能を有すると確認し、充電装置が保護状態に入らなかった場合、充電装置は、経路インピーダンスの保護機能を有しないと確認する。
【００６７】
返信情報が経路インピーダンスの保護機能テストのテスト結果を指示する場合、充電装置３０は、テストボード２０によって報告されたテストのバッテリ電圧に基づいて経路インピーダンスを算出し、算出された経路インピーダンスに基づいて充電装置３０の作動状態を調整した後、充電装置３０の作動状態は、充電装置３０が保護状態にあるか否かを判断することができ、充電装置が保護状態に入った場合、充電装置によって経路インピーダンスの保護機能を有すると確認し、充電装置が保護状態に入らなかった場合、充電装置は、経路インピーダンスの保護機能を有しないと確認する。次に、テスト結果をテストボード２０に送信する。
【００６８】
いくつかの実施例では、テストボード２０は、警告装置に接続されることもでき、テストボード２０は、充電装置が経路インピーダンスの保護機能を有するか否かを確認した後、警告装置を制御して警告情報を送信することによって、ユーザがテスト結果を直感的に理解できることが容易になる。一例として、警告モジュールはディスプレイであってもよい。
【００６９】
要約すると、本出願の実施例により提供される充電装置のテストシステムによれば、充電装置の電源線は、テストボードによって負荷モジュールと経路を形成し、充電装置は、通信線を介してテストボードによって報告されたバッテリ電圧を受信し、テストボードによって報告されたバッテリ電圧に基づいて経路のインピーダンスが予め設定されたインピーダンスより大きいと判断した場合に、充電装置が保護状態に入っているか否かを確認して、充電装置の経路インピーダンスの保護機能をテストすることによって、充電装置の経路インピーダンスの保護機能が有効であるか否かを効果的にテストすることができ、且つ操作が簡単で、精度が高いので、充電装置の安全性及び安定性を確保し、経路インピーダンスの保護機能の問題によって充電装置にアフターセールスの問題が発生することを回避し、充電装置の品質を確保する。
【００７０】
上記の実施例の充電装置のテストシステムに対応して、本出願では、充電装置のテスト方法をさらに提供する。
【００７１】
図５は、本出願の実施例により提供される充電装置のテスト方法の概略フローチャートである。充電装置は、テストボードによって負荷モジュールと経路を形成する。図５に示すように、当該充電装置のテスト方法は、以下のようなステップを含む。
ステップＳ１：テストボードによって報告されたテストのバッテリ電圧を受信する。
ステップＳ２：テストのバッテリ電圧に基づいて前記充電装置から負荷モジュールへの経路インピーダンスを算出し、算出された経路インピーダンスに基づいて充電装置の作動状態を調整し、その中、テストのバッテリ電圧に基づいて算出された経路インピーダンスと基準インピーダンスとの間の差は、予め設定されたインピーダンスより大きい。
ステップＳ３：充電装置が保護状態に入っているか否かを確認して、充電装置の経路インピーダンスの保護機能をテストする。
【００７２】
本出願の一実施例によれば、前記テストのバッテリ電圧に基づいて前記充電装置から前記負荷モジュールへの経路インピーダンスを算出するステップは、
前記充電装置の充電電圧と、前記テストボードによって報告されたテストのバッテリ電圧と、前記充電装置の充電電流とに基づいて前記充電装置から前記負荷モジュールへの経路インピーダンスを算出するステップを含み、
前記経路インピーダンスの保護機能が正常であり、且つ算出された経路インピーダンスと基準インピーダンスとの間の差が予め設定されたインピーダンスより大きい場合、前記充電装置は保護状態に入る。
【００７３】
本出願の一実施例によれば、以下の式に従って前記充電装置から前記負荷モジュールへの経路インピーダンスを算出し、
Ｒ＝（ＶＢＵＳ−ＶＢＡＴ）／Ｉ
ただし、Ｒは前記充電装置から前記負荷モジュールへの経路インピーダンスであり、ＶＢＵＳは前記充電装置の充電電圧であり、ＶＢＡＴは前記テストボードによって報告されたテストのバッテリ電圧であり、Ｉは前記充電装置の充電電流である。
【００７４】
本出願の一実施例によれば、前記テストのバッテリ電圧は、前記テストボードが、前記テストボードの電圧と、アナログインピーダンスの増加値と、前記充電装置の充電電流とに基づいて算出されるものである。
【００７５】
本出願の一実施例によれば、前記テストボードは、以下の式に従って前記テストのバッテリ電圧を算出し、
ＶＢＡＴ＝Ｖ−ＡＤＣ−△Ｒ＊Ｉ
ただし、ＶＢＡＴは前記テストのバッテリ電圧であり、Ｖ−ＡＤＣは前記テストボードの電圧であり、△Ｒはアナログインピーダンスの増加値であり、Ｉは前記充電装置の充電電流である。
【００７６】
本出願の一実施例によれば、アナログインピーダンスの増加値は、予め設定されたインピーダンス以上である。
【００７７】
本出願の一実施例によれば、前記負荷モジュールが定電圧負荷であることによって、前記充電装置の充電電流が定電流状態になる。
【００７８】
なお、上記の充電装置のテストシステム実施例の説明は、当該実施例の充電装置のテスト方法にも適用され、ここでは説明を省略する。
【００７９】
要約すると、本出願の実施例により提供される充電装置のテスト方法によれば、充電装置は、テストボードによって負荷モジュールと経路を形成し、テストボードによって報告されたテストのバッテリ電圧を取得し、テストのバッテリ電圧に基づいて充電装置から負荷モジュールへの経路インピーダンスを算出し、算出された経路インピーダンスに基づいて充電装置の作動状態を調整し、充電装置が保護状態に入っているか否かを確認して、充電装置の経路インピーダンスの保護機能をテストし、且つテストのバッテリ電圧に基づいて算出された経路インピーダンスと基準インピーダンスとの間の差は、予め設定されたインピーダンスより大きい、これによって、充電装置の経路インピーダンスの保護機能が有効であるか否かを効果的にテストすることができ、且つ操作が簡単で、精度が高いので、充電装置の安全性及び安定性を確保し、経路インピーダンスの保護機能の問題によって充電装置にアフターセールスの問題が発生することを回避し、充電装置の品質を確保する。
【００８０】
当業者は、以下のことを意識することができる。本出願に開示されている実施例に合わせて説明された各例のユニット及アルゴリズムステップは、電子ハードウェア、またはコンピュータソフトウェアと電子ハードウェアとの結合によって実現することができる。これらの機能が一体ハードウェア、それともソフトウェアの方式によって実行されるのかは、技術案の特定応用及び設計拘束条件によるものである。当業者は、各特定の応用に対して、説明された機能を異なる方法で実現することができ、このような実現は、本出願の範囲を超えたと考えてはいけない。
【００８１】
説明上の便利と簡潔で、上記説明されたシステム、装置及びユニットの具体的な作業プロセスは、前述の方法実施例における対応する過程を参照することができるため、ここで説明を省略する。これは当業者に明白に理解されるべきである。
【００８２】
本出願によって提供されるいくつかの実施例において、開示されているシステムと、装置と、方法とは、他の方式によって実現することができる。例えば、上記装置の実施例は、概略的なものだけである。例えば、前記ユニットの区分は、ロジック機能の区分だけである。実際に実現する時に、他の区分方式を有することができる。例えば、複数のユニットまたはコンポーネントは、結合することができる、または他のシステムに集成することができ、または一部の特徴を無視することができ、または実行しないことができる。一方、示されたまたは論議された相互間の結合または直接結合または通信接続は、一部のインターフェイスを介して、装置またはユニットの間接結合または通信接続であっても良く、電気的、機械的または他の形式であってもよい。
【００８３】
分離部品として説明された前記ユニットは、物理上に分離していてもよいし、物理上に分離していなくてもよい。ユニットとして示された部品は、物理的なユニットであってもよいし、物理的なユニットでなくてもよい。即ち、一つの場所にあってもよいし、または複数のネットワークユニットに分布されてもよい。必要に応じて、そのうちの一部または全部のユニットを選択して本実施例の技術案の目的を実現することができる。
【００８４】
また、本出願の各実施例においての各機能ユニットは、一つの処理ユニットに集められてもよいが、各ユニットが独立な物理存在であっても良く、二つ以上のユニットが一つのユニットに集めてもよい。
【００８５】
前記機能はソフトウェア機能ユニットの形で実現され独立な商品として販売又は使用される際、一つのコンピュータ読取可能媒体中に記憶されることはできる。このような理解に基づいて、本出願の技術案は本質上、又は従来技術に貢献する部分又は当該技術案の部分がソフトウェア商品の形で現れる事ができ、当該コンピュータ・ソフトウェア商品が一つの記憶媒体に記憶され、若干の命令を含むことで一台のコンピュータ装置（パーソナル・コンピュータや、サーバー、又はネット装置等）に本出願の各実施例の前記方法の全部又は一部のステップを実行させる。前記の記憶媒体は、Ｕディスクと、リムーバブルハードディスクと、読み出し専用メモリ（ＲＯＭ，Ｒｅａｄ−Ｏｎｌｙ Ｍｅｍｏｒｙ）と、ランダムアクセスメモリ（ＲＡＭ，Ｒａｎｄｏｍ Ａｃｃｅｓｓ Ｍｅｍｏｒｙ）と、ディスクまたはＣＤ等様々なプログラムコードを記憶できる媒体を含む。
【００８６】
以上の記載は、本出願の実施形態に過ぎなく、本出願の保護範囲はこれに限定されない。当分野に詳しい全ての当業者が本出願に開示された技術範囲内で容易に想到する変化または取り替えは、本出願の保護範囲に含まれるべきである。従って、本出願の保護範囲はその特許請求の範囲に準ずるべきである。
【手続補正２】
【補正対象書類名】特許請求の範囲
【補正対象項目名】全文
【補正方法】変更
【補正の内容】
【特許請求の範囲】
【請求項１】
充電装置のテストシステムであって、
負荷モジュールと、テストボードと、充電装置と、を含み、前記充電装置は、前記テストボードによって前記負荷モジュールと経路を形成し、
前記テストボードは、バッテリの充電状態を実行してテストのバッテリ電圧を取得し、前記テストのバッテリ電圧を前記充電装置に報告し、
前記充電装置は、前記テストのバッテリ電圧を受信し、前記テストのバッテリ電圧に基づいて前記充電装置から前記負荷モジュールへの経路インピーダンスを算出して、前記充電装置の作動状態を調整し、算出された経路インピーダンスに基づいて前記充電装置が保護状態に入っているか否かを確認して、前記充電装置の経路インピーダンスの保護機能をテストする、
ことを特徴とする充電装置のテストシステム。
【請求項２】
前記充電装置は、前記充電装置の充電電圧と、前記テストボードによって報告されたテストのバッテリ電圧と、前記充電装置の充電電流とに基づいて、前記充電装置から前記負荷モジュールへの経路インピーダンスを算出し、
前記充電装置は、前記経路インピーダンスの保護機能が正常であり、且つ算出された経路インピーダンスと基準インピーダンスとの間の差が予め設定されたインピーダンスより大きい場合、保護状態に入る、
ことを特徴とする請求項１に記載の充電装置のテストシステム。
【請求項３】
前記充電装置は、以下の式に従って前記充電装置から前記負荷モジュールへの経路インピーダンスを算出し、
Ｒ＝（ＶＢＵＳ−ＶＢＡＴ）／Ｉ
ただし、Ｒは前記充電装置から前記負荷モジュールへの経路インピーダンスであり、ＶＢＵＳは前記充電装置の充電電圧であり、ＶＢＡＴは前記テストボードによって報告されたテストのバッテリ電圧であり、Ｉは前記充電装置の充電電流である、
ことを特徴とする請求項２に記載の充電装置のテストシステム。
【請求項４】
前記テストボードは、前記テストボードの電圧をサンプリングし、前記テストボードの電圧と、アナログインピーダンスの増加値と、前記充電装置の充電電流とに基づいて、前記テストのバッテリ電圧を算出し、
前記アナログインピーダンスの増加値は、前記予め設定されたインピーダンス以上である、
ことを特徴とする請求項１に記載の充電装置のテストシステム。
【請求項５】
前記テストボードは、以下の式に従って前記テストのバッテリ電圧を算出し、
ＶＢＡＴ＝Ｖ−ＡＤＣ−△Ｒ＊Ｉ
ただし、ＶＢＡＴは前記テストのバッテリ電圧であり、Ｖ−ＡＤＣは前記テストボードの電圧であり、△Ｒはアナログインピーダンスの増加値であり、Ｉは前記充電装置の充電電流である、
ことを特徴とする請求項４に記載の充電装置のテストシステム。
【請求項６】
前記充電装置は、定電流で前記負荷モジュールを充電する、
ことを特徴とする請求項１に記載の充電装置のテストシステム。
【請求項７】
前記充電装置は、正の電源線と負の電源線とを含む電源線を有し、前記テストボードは、第１の電源線と第２の電源線とを有し、
前記テストボードの第１の電源線の一端は、前記負荷モジュールの正極に接続され、前記テストボードの第１の電源線の他端は、前記充電装置の正の電源線に接続され、
前記テストボードの第２の電源線の一端は、前記負荷モジュールの負極に接続され、前記テストボードの第２の電源線の他端は、前記充電装置の負の電源線に接続される、
ことを特徴とする請求項１に記載の充電装置のテストシステム。
【請求項８】
前記テストボードは、前記第１の電源線又は前記第２の電源線に接続されるスイッチングトランジスタと、前記スイッチングトランジスタの制御極に接続され、スイッチングトランジスタのオン又はオフを制御することによって前記充電装置から前記負荷モジュールへの経路のオン又はオフを制御する制御モジュールと、をさらに含む、
ことを特徴とする請求項７に記載の充電装置のテストシステム。
【請求項９】
前記充電装置は、通信線をさらに有し、
前記充電装置は、前記通信線を介して前記テストボードと通信して、前記テストのバッテリ電圧を受信し、
前記電源線は、前記通信線と同じデータ線内に設けられ、前記データ線はＵＳＢ線である、
ことを特徴とする請求項７に記載の充電装置のテストシステム。
【請求項１０】
充電装置のテスト方法であって、
当該方法は充電装置に使用され、前記充電装置は、テストボードによって負荷モジュールと経路を形成し、
前記方法は、
前記テストボードによって報告されたテストのバッテリ電圧を受信するステップであって、前記テストのバッテリ電圧は前記テストボードがバッテリに対する充電状態を実行して取得したものであるステップと、
前記テストのバッテリ電圧に基づいて前記充電装置から前記負荷モジュールへの経路インピーダンスを算出するステップと、
算出された経路インピーダンスに基づいて前記充電装置の作動状態を調整するステップと、
前記充電装置が保護状態に入る必要があるか否かを確認して、前記充電装置の経路インピーダンスの保護機能をテストするステップと、を含む、
ことを特徴とする充電装置のテスト方法。
【請求項１１】
前記テストのバッテリ電圧に基づいて前記充電装置から前記負荷モジュールへの経路インピーダンスを算出するステップは、
前記充電装置の充電電圧と、前記テストボードによって報告されたテストのバッテリ電圧と、前記充電装置の充電電流とに基づいて前記充電装置から前記負荷モジュールへの経路インピーダンスを算出するステップを含み、
前記経路インピーダンスの保護機能が正常であり、且つ算出された経路インピーダンスと基準インピーダンスとの間の差が予め設定されたインピーダンスより大きい場合、前記充電装置は保護状態に入る、
ことを特徴とする請求項１０に記載の充電装置のテスト方法。
【請求項１２】
以下の式に従って前記充電装置から前記負荷モジュールへの経路インピーダンスを算出し、
Ｒ＝（ＶＢＵＳ−ＶＢＡＴ）／Ｉ
ただし、Ｒは前記充電装置から前記負荷モジュールへの経路インピーダンスであり、ＶＢＵＳは前記充電装置の充電電圧であり、ＶＢＡＴは前記テストボードによって報告されたテストのバッテリ電圧であり、Ｉは前記充電装置の充電電流である、
ことを特徴とする請求項１１に記載の充電装置のテスト方法。
【請求項１３】
前記テストのバッテリ電圧は、前記テストボードが、前記テストボードの電圧と、アナログインピーダンスの増加値と、前記充電装置の充電電流とに基づいて算出されるものであり、
前記アナログインピーダンスの増加値は、前記予め設定されたインピーダンス以上である、
ことを特徴とする請求項１０に記載の充電装置のテスト方法。
【請求項１４】
前記テストボードは、以下の式に従って前記テストのバッテリ電圧を算出し、
ＶＢＡＴ＝Ｖ−ＡＤＣ−△Ｒ＊Ｉ
ただし、ＶＢＡＴは前記テストのバッテリ電圧であり、Ｖ−ＡＤＣは前記テストボードの電圧であり、△Ｒはアナログインピーダンスの増加値であり、Ｉは前記充電装置の充電電流である、
ことを特徴とする請求項１３に記載の充電装置のテスト方法。
【請求項１５】
前記バッテリの充電状態を実行するように、定電流で前記負荷モジュールを充電するステップをさらに含む、
ことを特徴とする請求項１１に記載の充電装置のテスト方法。
【手続補正３】
【補正対象書類名】図面
【補正対象項目名】全図
【補正方法】変更
【補正の内容】
【図１】
2021502041.tif 000008
【図２】
2021502041.tif 000009
【図３】
2021502041.tif 000010
【図４】
2021502041.tif 000011
【図５】
2021502041.tif 000012
【国際調査報告】
2021502041.tif 000013
2021502041.tif 000014
2021502041.tif 000015
2021502041.tif 000016